(57)【要約】【課題】書類を抜き差し可能に保持した状態で、パイプ式ファイル等の綴じ具を開閉しなくても綴じ具の挿通部材に簡単に着脱することができるファイリング用書類保持具を提供すること。【解決手段】書類の側縁を受ける支持体２に書類を挟持する挟持手段５または書類を収容する収容袋を設けると共に、支持体２の下部にファイルＦの綴じ具ｄの挿通部材ｅに着脱自在に係合する係合手段７を設けた。【選択図】      図２
2004209677.tif 000002
【特許請求の範囲】
【請求項１】
綴じ穴を開けた書類を綴じるための綴じ具を備えたファイルの該綴じ具に着脱自在に係合する書類保持具であって、
保持すべき書類の側縁を受ける受面を上部に備えた棒状の支持体と、
該支持体の端に設けられ、書類の角部を位置決めする端ガイドと、
該支持体の側縁に設けられ、書類面を支える一対の側面ガイドと、
該支持体に設けられ、書類を挟持する挟持手段と、
該支持体の下方に設けられ、前記ファイルの綴じ具の挿通部材に着脱自在に係合する係合手段とを含むファイリング用書類保持具。
【請求項２】
前記挟持手段が、前記支持体の上方へ突設された固定片と、該支持体の下方に軸支され、先端が該支持体の上方へ持ち出されて該固定片に対し接近離間して開閉動作する揺動片と、該揺動片の先端を該固定片側へ付勢する付勢手段とから成る請求項１記載のファイリング用書類保持具。
【請求項３】
前記挟持手段の揺動片を、前記付勢手段の付勢力に抗して開き状態に保持する保持手段を備えている請求項２記載のファイリング用書類保持具。
【請求項４】
前記保持手段が、前記支持体または側面ガイドと前記揺動片との間に進入して該揺動片を開き状態に支えるスペーサである請求項３記載のファイリング用書類保持具。
【請求項５】
前記挟持手段が、前記支持体の上方へ突設され、先端同士が接近した弾性材から成る一対の挟持片と、該一対の挟持片間に挿入可能な背板部の両側縁に一対の翼片部を備え、該翼片部間に書類を挟む挟みシートとから成る請求項１記載のファイリング用書類保持具。
【請求項６】
綴じ穴を開けた書類を綴じるための綴じ具を備えたファイルの該綴じ具に着脱自在に係合する書類保持具であって、
保持すべき書類の側縁を受ける受面を上部に備えた棒状の支持体と、
該支持体の上方に設けられ、書類を収容する収容袋と、
該支持体の下方に設けられ、前記ファイルの綴じ具の挿通部材に着脱自在に係合する係合手段とを含むファイリング用書類保持具。
【請求項７】
前記係合手段が、前記支持体の下方に配設され、前記綴じ具の挿通部材を受入れ可能な凹部を備えた係合体と、該係合体の凹部の開放口を開閉する係止片とから成る請求項１乃至請求項６のいずれかに記載のファイリング用書類保持具。
【請求項８】
前記係合体が筒状に形成され、該係合体の筒内を前記係止片が進退動作して該係合体の凹部の開放口を開閉する請求項７記載のファイリング用書類保持具。
【発明の詳細な説明】
【０００１】
【発明の属する技術分野】
本発明は、ファイリング用書類保持具、より詳しくは、書類を保持した状態でパイプ式ファイル等の綴じ具に簡単に着脱できる書類保持具に関する。
【０００２】
【従来の技術】
周知のとおり、多数の書類をまとめて保管する場合、所謂パイプ式ファイルを用いるのが一般的である。このパイプ式ファイルは、硬質の厚紙または合成樹脂材から成る背表紙の両側に表表紙及び裏表紙が連設され、この背表紙の内側に、開閉可能に構成されたパイプ式の綴じ具を備えたものであり、書類の側縁に綴じ穴を開け、この綴じ穴にパイプ材から成る綴じ具の挿通部材を挿通することによって書類を綴じ込むのである。
【０００３】
しかしながら、このパイプ式ファイルは、一旦綴じ込んだ書類を取り外す際には、いちいち綴じ具を開いて挿通部材を綴じ穴から抜かなければならず、手間がかかる難点があった。とりわけ、多数綴じ込んだ書類の中程から目的の書類だけを取り外す場合には、その上部に綴じ込んだ書類も一緒に挿通部材から引き抜く必要があり頗る面倒であった。
【０００４】
そこで、従来、このような煩わしさを解消しようとするものとして、書類を保持した状態で、ファイルの綴じ具を開閉しなくても綴じ具の挿通部材に着脱できる書類保持具が提案されている（例えば、特許文献１参照）。ところが、この保持具においては、書類を糊付け若しくは係止針によって保持具に固定し、または書類に綴じ穴を開け、この綴じ穴にホック状構造を挿通して保持具に固定していたため、ファイルから保持具を取り外すことは容易であるものの、この保持具から書類を取り出すのに手間がかかる難点があった。
【０００５】
【特許文献１】
実開昭６１−１０５１８２号公報
【０００６】
【発明が解決しようとする課題】
本発明は、従来の書類保持具に上記のような問題があったことに鑑みて為されたもので、ファイルの綴じ具を開閉しなくても綴じ具の挿通部材に保持具を簡単に着脱することができ、しかも、この保持具に対して書類を簡単に抜き差しすることができるファイリング用書類保持具を提供することにある。
【０００７】
【課題を解決するための手段】
本発明のファイリング用書類保持具は、綴じ穴を開けた書類を綴じるための綴じ具を備えたファイルの該綴じ具に着脱自在に係合する書類保持具であって、
保持すべき書類の側縁を受ける受面を上部に備えた棒状の支持体と、
該支持体の端に設けられ、書類の角部を位置決めする端ガイドと、
該支持体の側縁に設けられ、書類面を支える一対の側面ガイドと、
該支持体に設けられ、書類を挟持する挟持手段と、
該支持体の下方に設けられ、前記ファイルの綴じ具の挿通部材に着脱自在に係合する係合手段とを含むことを特徴とする。
【０００８】
なお、ここで「書類」とは、各種文書、帳票、図面、地図等のシート状物、及びシート状物が複数枚重ねられて成るパンフレット、冊子等を総称するものである。また、「綴じ穴を開けた書類を綴じるための綴じ具を備えたファイル」とは書類の側縁に開けた綴じ穴に綴じ具の挿通部材を挿通して書類を綴じ込むファイルをいい、パイプ式ファイル、リング式ファイル等を含むものである。
【０００９】
更に本発明のファイリング用書類保持具は、前記挟持手段が、前記支持体の上方へ突設された固定片と、該支持体の下方に軸支され、先端が該支持体の上方へ持ち出されて該固定片に対し接近離間して開閉動作する揺動片と、該揺動片の先端を該固定片側へ付勢する付勢手段とから成ることを特徴とする。
【００１０】
更に本発明のファイリング用書類保持具は、前記挟持手段の揺動片を、前記付勢手段の付勢力に抗して開き状態に保持する保持手段を備えていることを特徴とする。
【００１１】
更に本発明のファイリング用書類保持具は、前記保持手段が、前記支持体または側面ガイドと前記揺動片との間に進入して該揺動片を開き状態に支えるスペーサであることを特徴とする。
【００１２】
更に本発明のファイリング用書類保持具は、前記挟持手段が、前記支持体の上方へ突設され、先端同士が接近した弾性材から成る一対の挟持片と、該一対の挟持片間に挿入可能な背板部の両側縁に一対の翼片部を備え、該翼片部間に書類を挟む挟みシートとから成ることを特徴とする。
【００１３】
更に本発明に係るファイリング用書類保持具は、綴じ穴を開けた書類を綴じるための綴じ具を備えたファイルの該綴じ具に着脱自在に係合する書類保持具であって、
保持すべき書類の側縁を受ける受面を上部に備えた棒状の支持体と、
該支持体の上方に設けられ、書類を収容する収容袋と、
該支持体の下方に設けられ、前記ファイルの綴じ具の挿通部材に着脱自在に係合する係合手段とを含むことを特徴とする。
【００１４】
更に本発明のファイリング用書類保持具は、前記係合手段が、前記支持体の下方に配設され、前記綴じ具の挿通部材を受入れ可能な凹部を備えた係合体と、該係合体の凹部の開放口を開閉する係止片とから成ることを特徴とする。
【００１５】
更に本発明のファイリング用書類保持具は、前記係合体が筒状に形成され、該係合体の筒内を前記係止片が進退動作して該係合体の凹部の開放口を開閉することを特徴とする。
【００１６】
【発明の実施の形態】
図１に示すように、本実施形態のファイリング用書類保持具１は、一枚または重ねた複数枚の書類１０を保持した状態で、ファイルＦの綴じ具ｄに着脱できるように構成されている。このファイルＦは市販のパイプ式ファイルであり、硬質の厚紙から成る背表紙ａの両側に表表紙ｂ及び裏表紙ｃが連設され、この背表紙ａの内側に、綴じ穴を開けた書類を綴じるための開閉可能な綴じ具ｄを備えている。この綴じ具ｄの一対のパイプ材から成る挿通部材ｅにファイリング用書類保持具１が着脱される。
【００１７】
図２はファイリング用書類保持具１の全体斜視図である。図中、符号２で指示するものは、保持すべき書類の側縁を受けるための支持体である。この支持体２は書類の側縁長よりやや長い平棒状に形成され、その上部に書類の側縁を受ける受面２１を備えている。この受面２１に書類の側縁を当接させることにより書類の側縁を揃える。
【００１８】
符号３で指示するものは、上記平棒状の支持体２の一端に配設され、書類の角部を位置決めするための端ガイドである。端ガイド３は、支持体２の受面２１の上方へ突出したガイド板３１から成り、支持体２の端部を曲げ加工して形成されている。この端ガイド３に書類の角部を突き当てることにより書類の角部を揃える。なお、この端ガイド３は支持体２の両端に設けても良い。この場合、両端の端ガイドの間隔をＡ４サイズ、Ｂ５サイズ等の定型紙のサイズに合わせ、少なくとも一方の端ガイドを板バネ材で形成すれば、両端の端ガイドで書類をガタつきなく安定的に保持することが可能となる。
【００１９】
符号４で指示するものは、上記平棒状の支持体２の側縁に配設され、書類面をを支えるための一対の側面ガイドである。側面ガイド４は支持体２の受面２１の上方へ突出した一対のガイド板４１から成り、支持体２の両側縁を曲げ加工して形成されている。本実施形態では、ガイド板４１の高さを上記端ガイド３側で部分的に高く形成している。これら一対のガイド板４１によって、保持する書類面を支えて書類の曲がり等を規制する。
【００２０】
符号５で指示するものは、支持体２の長手方向の中央に配設され、書類を挟持するための挟持手段である。挟持手段５は、図２〜図４に示すように、支持体２の上方へ突設された固定片５１と、支持体２の下部に軸支され、先端部が支持体２の上方へ持ち出されて固定片５１に対し接近または離間して開閉動作する揺動片５３と、この揺動片５３の先端を固定片５１側へ付勢する付勢手段５５とから構成されている。なお、図３及び図４は、図２のＡ−Ａ線の断面図である。
【００２１】
固定片５１は、曲げ加工されて支持体２と一体に形成されている。揺動片５３はその基端が管状に曲げ加工されて湾曲軸受部５４が形成されている。そして、支持体２の下面には軸受部５２が固定されている。これら湾曲軸受部５４と軸受部５２とに軸５０を挿入することによって、揺動片５３を支持体２の下部に軸支している。また、この軸部５０には、付勢手段５５として捻りコイルばねが被嵌されており、捻りコイルばねの端部が揺動片５３の外面及び支持体２の下面にそれぞれ係止されている。この捻りコイルばねの弾性力を利用して揺動片５３の先端を固定片５１へ接近させる方向へ付勢している。このことで、挟持手段５の固定片５１と揺動片５３との間で書類を挟持するのである。
【００２２】
図２において、符号６で指示するものは、上記挟持手段５の揺動片５３を開いた状態に保持するための保持手段である。保持手段６は所定の厚みを有する棒状スペーサ６１から成り、側面ガイド４のガイド板４１の外側面に軸６２によって軸支されている。このスペーサ６１を軸６２を中心に回動させて、図４に示すように、揺動片５３とガイド板４１との間に進入させることによって、閉じ方向へ付勢された揺動片５３を支えて揺動片５３を開き状態に保持するのである。保持状態を解除するには、スペーサ６１を逆に回動させて揺動片５３とガイド板４１との間から退避させれば良い。
【００２３】
図２において、符号７で指示するものは、支持体２の下方に設けられ、上記ファイルＦの綴じ具ｄの挿通部材ｅに着脱自在に係合する係合手段である。この係合手段７は、図３〜図６に示すように、支持体２の下面に設けられ、ファイルの挿通部材を受入れ可能な一対の凹部７１を備えた係合体７２と、凹部７１の開放口を開閉する一対の係止片７３とから構成されている。なお、図５及び図６には上記挟持手段５及び保持手段６は図示していない。
【００２４】
本実施形態では、係合体７２は扁平角筒状に形成され、この角筒内にスライド板７４の先端側が一部分、スライド可能に挿入されている。そして、このスライド板７４の挿入部の下辺に一対の逆Ｌ字状の切欠き部７５を設けることによって一対の係止片７３を構成している。このスライド板７４の後端部に設けた摘み部７６を押し引き操作することによって、係止片７３を進退動作させて凹部７１の開放口を開閉するのである。なお、符号７７、７８で指示するものは、スライド板７４の移動範囲を規制するために板厚を大きくしたストッパである。
【００２５】
以下、本実施形態のファイリング用書類保持具１の使用手順を説明する。
【００２６】
まず、ファイリング用書類保持具に書類を保持させる場合には、挟持手段５の揺動片５３を開き、保持手段６のスペーサ６１を回動させて揺動片５３とガイド板４１との間に進入させることにより揺動片５３を開き状態に保持する（図４参照）。次いで、書類を挟持手段５の固定片５１と揺動片５３との間に差し込み、書類を支持体２の受面２１、端ガイド３及び側面ガイド４に当接させて書類を揃える。そして、保持手段６のスペーサ６１を退避させて揺動片５３を閉じることによって挟持手段５で書類を挟持する。こうして、ファイリング用書類保持具に書類を保持させる。逆に、この保持具から書類を取り外す場合には、挟持手段５の揺動片５３を付勢手段５５の捻りコイルばねの付勢力に抗して開けば良い。
【００２７】
また、図１に示すように、書類１０を保持したファイリング用書類保持具１をファイルＦの綴じ具ｄの挿通部材ｅに係合する場合には、まず、図５に示すように、係合手段７の摘み部７６を摘んでスライド板７４を押し込むことにより係合体７２の凹部７１を開口させる。次いで、この凹部７１を開口させたまま、凹部７１を綴じ具ｄの挿通部材ｅに被嵌する。そして、図６に示すように、スライド板７４を引いて凹部７１の開放口を閉じることにより凹部７１内の挿通部材ｅを係止する。こうして、ファイリング用書類保持具１をファイルＦの綴じ具ｄの挿通部材ｅに取り付けるのである。逆に、ファイリング用書類保持具１をファイルＦの挿通部材ｅから取り外す場合には、係合手段７のスライド板７４を押し込んで凹部７１を開口させ、凹部７１から挿通部材ｅを抜くだけで良い。
【００２８】
また、ファイリング用書類保持具１をファイルＦの挿通部材ｅに係合したままでも、挟持手段５の揺動片５３を捻りコイルばねの付勢力に抗して開けば、この保持具１をファイルＦから外すことなく、書類だけを取り外すことができる。
【００２９】
このように本実施形態のファイリング用書類保持具は、書類を保持したまま、ファイルの綴じ具を開閉しなくても綴じ具の挿通部材に簡単に着脱できるので、例えば、ファイルに多数綴じ込んだ書類の中程から目的の書類を取り外す場合でも、目的の書類を保持する保持具だけを、ファイルから簡単に取り出すことができ、従来のように、いちいち綴じ具を開いて上部に綴じ込んだ書類を一緒に外さなければならない煩わしさもない。
【００３０】
また、本実施形態のファイリング用書類保持具は、挟持手段５で書類を挟持するので、挟持手段５の揺動部材５３を開閉操作するだけで、保持具に対し簡単に書類を抜き差しすることができる。従来のように、糊付けされた書類を剥がす面倒さもなく、書類に綴じ穴を開ける必要もない。
【００３１】
また、本実施形態のファイリング用書類保持具は、支持体２の受面２１、端ガイド３及び側面ガイド４が書類の保持位置を規制するので、書類を挟持手段５の固定片５１と揺動片５３との間に差し込むだけで、書類を揃えることができる。また、保持した書類の一部を保持具から取り出す際にも、他の書類のバラつきを抑えることができる。
【００３２】
また、本実施形態では、挟持手段５の揺動片５３を支持体２の下方に軸支しており、揺動片５３の軸支部が支持体２の上方へ突出することがないので、支持体２の上部の受面２１で確実に支えた状態で書類を挟持手段５で安定的に挟持することができる。また、揺動片５３の軸支部が支持体２の側方へ突出することもないので、保持具１をスリムに構成することができ、複数の保持具１をファイルに係合した場合でも、保持具同士のデッドスペースを小さくすることができる。
【００３３】
また、本実施形態では、挟持手段５の揺動片５３を開き状態に保持する保持手段６として、揺動片５３と側面ガイド４との間に進入退避させるスペーサ６１を採用しているので、極めて簡単な構成の保持手段６を実現することができる。また、付勢手段５５の付勢力をスペーサ６１を介して支持体２の側面ガイド４で支えることができるので、付勢手段５５の付勢力に抗して揺動片５３を確実かつ安定的に開き状態に保持することができる。
【００３４】
また、本実施形態では、係合手段７の凹部７１の開放口を係止片７３で開閉できるので、ファイルに対する保持具の係合状態をロックすることができ、ファイルを持ち運びする際に保持具が脱落するようなこともない。また、係合手段７の係合体７２を筒状に形成し、この筒内で係止片７３を進退動作させて凹部７１の開放口を開閉しているので、極めて簡単な構成のロック構造を実現できる。
【００３５】
以上、本発明の一実施形態について説明したが、本発明のファイリング用書類保持具は、その他の形態でも実施し得るものである。
【００３６】
例えば、上記実施形態では、保持手段６のスペーサ６１を揺動片５３と側面ガイド４との間に進入させているが、図７に示すように、揺動片５３と支持体２の側面との間にスペーサ６３を進入させるようにしても良い。このスペーサ６３を介して付勢手段５５の付勢力を支持体２の側面で支えるのである。この変形例の場合、側面ガイドは、この揺動片５３の配設部位を除いた支持体２の側縁に形成されている。
【００３７】
また、上記実施形態では、スペーサ６１を軸６２で軸支して、スペーサ６１を回動させて揺動片５３と側面ガイド４との間に進入させているが、例えば、図８に示すように、スペーサ６４を支持体２の側面ガイド４に沿ってスライド可能に配設して、このスペーサ６４を直線スライドさせて揺動片５３と側面ガイド４との間に進入退避させるようにしても良い。ここでは、側面ガイド４に長手方向に沿って設けた溝に、スペーサ６４に設けた一対の突起６５を嵌合することによりスペーサ６４をスライド可能に配設している。
【００３８】
図９及び図１０に示す、実施変形例のファイリング用書類保持具１１は、書類を挟持するための挟持手段を、支持体２の上方へ突設した一対の弾性材から成る挟持片８１と、これら挟持片８１間に挿入可能な挟みシート８３とから構成したものである。この挟持手段８の一対の挟持片８１は、支持体２の長手方向中央において支持体２の両側縁に一体成形されており、その先端同士が接近している。そして、各挟持片８１の片側の端部８２は、挟みシート８３を挿入し易いように斜めに切り欠かれている。一方、挟みシート８３は可撓性の合成樹脂シート材から成り、図１０に示すように、挟持片８１間に挿入可能な背板部８４と、この背板部８４の両側縁に折り曲げ自在に連設された一対の翼片部８５とから構成されている。
【００３９】
この挟みシート８３の翼片部８５間に書類１０を挟み込み、背板部８４を挟持片８１間へ側方から挿入することによって、挟持片８１の弾性力を利用して書類１０を、挟みシート８３と共に挟持するのである。逆に、挟みシート８３をスライドさせてその背板部８４を挟持片８１間から引き抜けば、簡単に書類１０をファイリング用書類保持具１１から取り外すことができる。
【００４０】
このファイリング用書類保持具１１は、挟持片８１自体の弾性を利用して書類を挟持できるので、付勢手段を別に設ける必要がなく、挟持手段８を頗る簡素化でき、保持具１１を極めてスリムに構成することができる。また、挟みシート８３により書類１０の曲がり等をある程度規制することができるので、側面ガイド４のガイド板４１を端ガイド３の近傍に形成するだけで、支持体２の受面２１、端ガイド３及び側面ガイド４によって確実に書類を揃えた状態で保持することができる。
【００４１】
図１１に示す、実施変形例のファイリング用書類保持具１２は、ファイルＦの挿通部材ｅに係合させるための係合手段７の係合体７９を、他の保持具１１の係合体７２より高く形成したものである。この保持具１２を他の保持具１１の間に差し入れるようにすれば、各保持具の支持体２を千鳥状に配置することができ、多数の保持具１１、１２をファイルＦにスペースの無駄なく係合させることが可能となる。上述したファイリング用書類保持具１についても同様に、係合手段の係合体の高さを変えた複数の保持具を組み合わせて使用することができる。
【００４２】
図１２に示す、実施変形例のファイリング用書類保持具１３は、支持体２の上方に書類を収容するための収容袋９を設けたものである。この収容袋９は、支持体２の側縁に設けられた可撓性の合成樹脂シート材から成る一対の台紙９１と、各台紙９１の内面に周縁部が貼設された可撓性の合成樹脂シート材から成る袋シート９２とから構成されている。各台紙９１の基部を除く三方の周縁部に袋シート９２がヒートシールされ、台紙９１の基部側に開口部９３を有する収容袋９が形成されている。
【００４３】
このファイリング用書類保持具１３の一対の台紙９１を開いて、収容袋９内へ書類を差し入れることによって書類を保持するのである。逆に、台紙９１を開いて収容袋９から書類を引き出せば、簡単に書類をファイリング用書類保持具１３から取り外すことができる。このように、ファイリング用書類保持具１３は、書類を収容袋９に入れて保持できるので、保持具１３を極めて簡素、かつ、スリムに構成することができ、また、支持体２の受面２１及び収容袋９で確実に書類を揃えて保持することができる。なお、収容袋９を支持体２の上方に一つ、或いは二つ以上設けるようにしても良い。
【００４４】
以上、本発明の実施変形例について図面に基いて種々説明したが、本発明に係るファイリング用書類保持具は、図示したものに限定されず、その他の態様でも実施し得るものである。
【００４５】
例えば、上記実施形態では、挟持手段５の揺動片５３の先端を固定片５１側へ付勢する付勢手段５５として捻りコイルばねを用いているが、決してこれに限定されるものではなく、付勢手段として板ばね等を使用しても良く、また、揺動片自体の弾性を利用しても良い。また、側面ガイド４は必ずしも支持体２の長手方向全体に亘って設ける必要はなく、部分的に設けても良い。更にまた、上記実施例では、書類を直接、保持具に保持させるようにしているが、可撓性シートを二つ折りして成るクリヤーファイルに書類を挟み、このクリヤーファイルとともに保持させても良い。本発明はその趣旨を逸脱しない範囲内で当業者の知識に基づき、種々の改良、変更、修正を加えた態様で実施し得るものである。
【００４６】
また、同一の作用又は効果が生じる範囲内で、何れかの発明特定事項を他の技術に置換した形態で実施しても良く、また、一体に構成されている発明特定事項を複数の部材から構成しても、複数の部材から構成されている発明特定事項を一体に構成した形態で実施しても良い。
【００４７】
【発明の効果】
以上のように、本発明に係るファイリング用書類保持具によれば、保持具の挟持手段で書類を挟持するか、或いは収容袋で書類を保持するので、保持具に対して簡単に書類を抜き差しすることができる。従来のように、糊付けされた書類を剥がす面倒さもなく、書類に綴じ穴を開ける必要もない。また、保持具の支持体の受面、端ガイド又は側面ガイドが書類の保持位置を規制するので、書類を簡単に揃えることができ、また、保持した書類の一部を保持具から取り出す際にも、他の書類のバラつきを抑えることができる。
【００４８】
また、挟持手段の揺動片を支持体の下方に軸支したファイリング用書類保持具によれば、揺動片の軸支部が支持体の上方へ突出することがないので、支持体の上部の受面で確実に書類を支えることができ、挟持手段で書類を安定的に挟持することができる。また、揺動片の軸支部が支持体の側方へ突出することもないので、保持具をスリムに構成することができ、複数の保持具をファイルに係合した場合でも、保持具同士のデッドスペースを小さくすることができる。
【００４９】
更にまた、支持体の下方に軸支した揺動片と、支持体又は側面ガイドとの間にスペーサを進入させるファイリング用書類保持具によれば、極めて簡単な構成で閉じ方向へ付勢された揺動片を開き状態に保持することができる。しかも、その付勢力をスペーサを介して支持体または側面ガイドで支えることができるので、確実かつ安定的に揺動片を開き状態に保持することができる。
【００５０】
更にまた、書類を挟持するための挟持手段を、支持体の上方へ突設した一対の弾性材から成る挟持片と、これら挟持片間に挿入可能な挟みシートとから構成したファイリング用書類保持具によれば、付勢手段を別に設ける必要がなく、挟持手段を頗る簡素化でき、保持具を極めてスリムに構成することができる。
【００５１】
更にまた、書類を収容するための収容袋を支持体の上方に設けたファイリング用書類保持具によれば、保持具を極めて簡素かつスリムに構成することができ、多数の保持具をスペースの無駄なくファイルに係合することが可能となる。
【図面の簡単な説明】
【図１】本発明に係るファイリング用書類保持具をパイプ式ファイルの綴じ具に係合する状態を示した全体斜視図である。
【図２】本実施形態のファイリング用書類保持具の全体斜視図である。
【図３】図２のＡ−Ａ線におけるファイリング用書類保持具の横断面図である。
【図４】同保持具の挟持手段の揺動片を開き状態に保持した状態のＡ−Ａ線横断面図である。
【図５】同保持具の係合手段の部分断面側面図である。
【図６】同保持具の係合手段の部分断面側面図である。
【図７】本発明のファイリング用書類保持具の変形例の横断面図である。
【図８】本発明のファイリング用書類保持具の他の変形例の横断面図である。
【図９】本発明のファイリング用書類保持具の更に他の変形例の全体斜視図である。
【図１０】同ファイリング用書類保持具の部分断面側面図である。
【図１１】更に他の変形例のファイリング用書類保持具の部分断面側面図である。
【図１２】更に他の変形例のファイリング用書類保持具の全体斜視図である。
【符号の説明】
Ｆ    ファイル
ｄ    綴じ具
ｅ    挿通部材
１、１１、１２、１３  ファイリング用書類保持具
１０  書類
２    支持体
２１    受面
３    端ガイド
４    側面ガイド
５    挟持手段
５１    固定片
５３    揺動片
５５    付勢手段
６    保持手段
６１、６３、６４  スペーサ
７    係合手段
７１    凹部
７２、７９  係合体
７３    係止片
８    挟持手段
８１    挟持片
８３    挟みシート
８４  （挟みシートの）背板部
８５  （挟みシートの）翼片部
９    収容袋
【図１】
2004209677.tif 000003
【図２】
2004209677.tif 000004
【図３】
2004209677.tif 000005
【図４】
2004209677.tif 000006
【図５】
2004209677.tif 000007
【図６】
2004209677.tif 000008
【図７】
2004209677.tif 000009
【図８】
2004209677.tif 000010
【図９】
2004209677.tif 000011
【図１０】
2004209677.tif 000012
【図１１】
2004209677.tif 000013
【図１２】
2004209677.tif 000014